(57)【特許請求の範囲】
【請求項１】
ボウル部に水を供給する給水路に設けられる止水弁ユニットと、この止水弁ユニットを支持する支持体を備え、前記止水弁ユニットは、止水弁が設けられる内部流路の一部が、筒状部と、この筒状部の端部から当該筒状部の軸方向と交差する方向に突出する給水口部とで構成され、前記筒状部の外周面とこれに対応する前記支持体の一部のうちの一方に、前記筒状部の軸方向から見て前記給水口部の軸方向と交差する方向に突出するリブが形成され、他方に前記リブが嵌合する凹所が形成されたことを特徴とする便器装置。
【請求項２】
前記筒状部の外周面に被固着部が突出して形成されると共にこの被固着部にねじ挿通用切欠が形成され、前記ねじ挿通用切欠に挿通されたねじにより前記被固着部が前記支持体に固着され、前記筒状部の外周面における前記被固着部よりも上流側の位置に前記リブが形成されたことを特徴とする請求項１に記載の便器装置。
【発明の詳細な説明】
【技術分野】
【０００１】
本発明は、止水弁ユニットを有する便器装置に関する。
【背景技術】
【０００２】
特許文献１には、リム吐水口に洗浄水を供給する流路と、この流路の途中に設けられた止水弁を具備する便器が開示されている。
【先行技術文献】
【特許文献】
【０００３】
【特許文献１】特開２００８−５７２３８号公報
【発明の概要】
【発明が解決しようとする課題】
【０００４】
前記止水弁を設けるにあたっては、ボウル部に水を供給する給水路の途中に、止水弁を備えた止水弁ユニットが設けられる場合がある。この止水弁ユニットは、例えば止水弁が設けられる内部流路の一部が、筒状部と、筒状部の端部から筒状部の軸方向と直交する方向に突出する給水口部とで構成され、便器本体側に設けられた支持体に取り付けられる。
【０００５】
しかし、前記止水弁ユニットは、止水弁の開閉動作により生じる水撃（１次水圧）が給水口部に対して交差する筒状部に作用することで、がたついたり、支持体の止水弁ユニットが取り付けられた部分が変形等する恐れがある。
【０００６】
本発明は上記事情に鑑みてなされたものであって、止水弁の開閉動作によって生じる水撃により、止水弁ユニットががたついたり、支持体の止水弁ユニットが取り付けられた部分が変形等することを抑制できる便器装置を提供することを課題とする。
【課題を解決するための手段】
【０００７】
上記課題を解決するために本発明の便器装置は、ボウル部に水を供給する給水路に設けられる止水弁ユニットと、この止水弁ユニットを支持する支持体を備え、前記止水弁ユニットは、止水弁が設けられる内部流路の一部が、筒状部と、この筒状部の端部から当該筒状部の軸方向と交差する方向に突出する給水口部とで構成され、前記筒状部の外周面とこれに対応する前記支持体の一部のうちの一方に、前記筒状部の軸方向から見て前記給水口部の軸方向と交差する方向に突出するリブが形成され、他方に前記リブが嵌合する凹所が形成されたことを特徴とする。
【０００８】
また、前記筒状部の外周面に被固着部が突出して形成されると共にこの被固着部にねじ挿通用切欠が形成され、前記ねじ挿通用切欠に挿通されたねじにより前記被固着部が前記支持体に固着され、前記筒状部の外周面における前記被固着部よりも上流側の位置に前記リブが形成されたことを特徴とする。
【発明の効果】
【０００９】
本発明にあっては、水撃により、止水弁ユニットががたついたり、支持体の止水弁ユニットが取り付けられた部分が変形等することを抑制できる。
【図面の簡単な説明】
【００１０】
【図１】本実施形態の便器装置における耐水撃用のリブが設けられた部分を示す一部断面斜視図である。
【図２】同上の便器装置の斜視図である。
【図３】同上の側カバーを取り外した便器装置の斜視図である。
【図４】図３のＡ部を拡大した一部透過拡大図である。
【図５】同上の便器装置の説明図である。
【図６】同上の止水弁ユニットを支持体に取り付けた状態を示す斜視図である。
【図７】同上の止水弁ユニットの斜視図である。
【図８】同上の止水弁ユニットを支持体に取り付けた状態を示す下側から見た斜視図である。
【図９】同上の耐水撃用のリブの近傍部分を示す水平断面図である。
【図１０】同上の支持体のボスの近傍部分を示す斜視図である。
【発明を実施するための形態】
【００１１】
以下、本発明を添付図面に基づいて説明する。図２に本実施形態の便器装置１を示す。なお、以下では便器装置１に着座した利用者から見た方向を基準に説明し、図２中Ｄ１に示す方向を前方、Ｄ２に示す方向を後方として説明する。
【００１２】
便器装置１は、補強フレーム２（図３参照）と、補強フレーム２に取り付けられる便器本体３を備えている。図３に示す補強フレーム２は、下フレーム４、上フレーム５、及び下フレーム４と上フレーム５を連結する連結フレーム６で構成されており、これらフレーム４〜６は金属製である。
【００１３】
下フレーム４は平面視環状に形成され、トイレの床に載置固定される。上フレーム５は、下フレーム４の後部上方の両側に夫々配置されている。各上フレーム５の後部は縦長の連結フレーム６を介して下フレーム４に連結されている。また、図示は省略するが、各上フレーム５の前部も縦長の連結フレームを介して下フレーム４に連結されている。
【００１４】
図２に示すように、便器装置１の外殻を構成する便器本体３は、前部を構成する前パーツ８と、後部を構成する後パーツ９で構成されている。前パーツ８及び後パーツ９は共に合成樹脂製であり、両パーツ８、９は補強フレーム２に取り付けられる。
【００１５】
前パーツ８は、上方に開口するボウル部７と、ボウル部７の上縁部から外周側に突出して形成されたリム部１０と、ボウル部７の外側を覆うスカート部１１で構成されている。ボウル部７、リム部１０、及びスカート部１１は溶着等により接続され、このように形成された前パーツ８は下フレーム４及び前記前側の連結フレーム（不図示）にボルト等を用いて取り付けられる。
【００１６】
図４に示すように、補強フレーム２の上フレーム５上には機能部１６が設けられている。機能部１６は、補強フレーム２の上フレーム５に取り付けられるベース２０と、ベース２０に取り付けられる機能装置で構成され、この機能装置として止水弁ユニット１５が設けられている。なお、機能装置としては、止水弁ユニット１５に加えて制御部を構成する制御回路等が設けられるが、この他に局部洗浄ノズルや脱臭装置を設けても構わない。
【００１７】
便器装置１は、図５に示すように、ボウル部７に水を供給する給水路２２を具備するものであり、止水弁ユニット１５は、この給水路２２の上流側端部に設けられる。止水弁ユニット１５は、図７に示すように、縦長円筒状の筒状部２４と、筒状部２４の下端部から便器装置１の外側方（右側）に向けて突出する円筒状の給水口部２５と、筒状部２４の上端部から給水口部２５と反対側に突出する円筒状の流出口部２６を備えている。給水口部２５の内側、筒状部２４の内側、及び流出口部２６の内側はこの順序で連通し、これら給水口部２５、筒状部２４、及び流出口部２６で構成される内部流路２７によって前記給水路２２の上流側端部が構成される。
【００１８】
筒状部２４の上部には、左右方向に膨出した膨出部３４が形成されており、膨出部３４には、ボウル部７への給水の有無を切り替える止水弁２８が設けられている。止水弁２８は電磁弁又は電動弁であり、前記制御回路からの指令により開閉される。
【００１９】
筒状部２４の最下端部は給水口部２５よりも下方に突出し、同部は筒状部２４内の水を抜くための開口部となっている。筒状部２４の最下端部には、キャップ４２が設けられている。キャップ４２は、その内周面に形成された雌ねじを筒状部２４の最下端部の外周面に形成された雄ねじに螺合することで、筒状部２４に着脱自在に取り付けられ、前記水抜き用の開口部を閉塞する。
【００２０】
筒状部２４の上端部には大気開放弁３３が設けられている。この大気開放弁３３は給水路２２のボウル部７に臨む下流端よりも上方に配置され、止水弁２８を閉じた際には、大気開放弁３３が開いて大気開放弁３３よりも下流側の給水路２２に残った水がボウル部７に排出されるようになっている。
【００２１】
筒状部２４の外周面には、図９にも示すように縦長の補強リブ４９が周方向に間隔を介して４条形成されており、各補強リブ４９は、前方、後方、左方、右方の夫々に向けて突出している。図７のように、各補強リブ４９の上端は、筒状部２４において大気開放弁３３を設けるために下方部よりも大径となった上端部に接続されている。また、各補強リブ４９の下端は、給水口部２５又は筒状部２４においてキャップ４２を設けるために上方部よりも大径となった下端部に接続されている。
【００２２】
図４に示すように、補強フレーム２の上フレーム５には、ベース２０の一部を構成する支持体２１がボルト等を用いて取り付けられる。支持体２１は止水弁２８を支持するものである。なお、支持体２１はボルト等を用いて上フレーム５に直接取り付けられるものであってもよいし、上フレーム５に取り付けられた中間部材にボルト等を用いて取り付けられるものであってもよい。
【００２３】
図６に示すように、支持体２１は略水平な板状部３５を有している。板状部３５には止水弁ユニット１５の筒状部２４を挿通させるための上下に貫通する挿通孔３６が形成されている。図８に示すように、板状部３５には、挿通孔３６の周縁部から下方に突出して筒状部２４の周囲に配置される略筒状の収納部４３が形成されている。
【００２４】
図７に示すように、止水弁ユニット１５の筒状部２４には、筒状部２４の外周面から突出するリブ４４〜４６が形成されている。各リブ４４〜４６は補強リブ４９の長手方向の一部を外方に向けて一体に延ばし出したものであって、筒状部２４の軸方向と直交する板状に形成されている。
【００２５】
リブ４４は、筒状部２４の右側（給水口部２５側）の面から給水口部２５の突出方向と同一方向となる右側方に向けて突出している。リブ４４は、筒状部２４を支持体２１の挿通孔３６に挿通した取り付け状態において、挿通孔３６に対応する位置に配置される。図６に示すように、支持体２１の板状部３５における挿通孔３６の右側縁部には上方に突出する突起４７が形成され、突起４７には上方及び左側方に開口する凹所４８が形成されている。凹所４８にはリブ４４が上方から嵌め込まれ、これによりリブ４４は前後方向の移動が規制される。
【００２６】
図７のように、リブ４５、４６は、リブ４４よりも下方で且つ給水口部２５よりも上方に形成されている。両リブ４５、４６は左右対称に形成され、同レベルの位置に設けられている。
【００２７】
リブ４５、４６は、筒状部２４の軸方向から見て給水口部２５の軸方向と交差する方向に突出して設けられている。図示例のリブ４５は筒状部２４の右側面に形成され、右側方に向けて突出している。また、リブ４６は筒状部２４の左側面に形成され、左側方に向けて突出している。
【００２８】
図１及び図９に示すように、支持体２１の収納部４３において、リブ４５、４６の夫々に対応する箇所には、収納部４３の内側及び上方に向けて開口する凹所５０、５１が形成されている。各凹所５０、５１は、収納部４３の内周面に形成した凹部５２と、凹部５２の奥面から突出して凹部５２の側面に対向する位置に形成された突出リブ５３とで構成されている。リブ４５、４６は、対応する凹所５０、５１に上方から嵌め込まれ、これにより左右方向の移動が規制される。
【００２９】
図７に示すように、止水弁ユニット１５の筒状部２４の上部には、前方に突出する第一被固着部２９と、後方に突出する第二被固着部３０が形成されている。各被固着部２９、３０は、上下方向（筒状部２４の軸方向）に対して垂直な板状に形成され、各被固着部２９、３０の突出基部には、対応する補強リブ４９が接続されている。第一被固着部２９は止水弁２８と略同レベルの位置に形成され、リブ４４と略同レベルの位置に形成された第二被固着部３０よりも上方に位置している。各被固着部２９、３０の突出先端部には、各被固着部２９、３０の突出方向（各被固着部２９、３０の最先端側）に開口して縁部が平面視Ｕ字状となったねじ挿通用切欠３１が形成されている。
【００３０】
図６に示すように、支持体２１の板状部３５における挿通孔３６の前縁部には、第一被固着部２９が固着される固着部として、上方に突出するボス３７が形成されている。図１０のように、ボス３７の左右には、板状部３５から上方に突出した突片部４０が夫々設けられている。各突片部４０はボス３７に接続され、その上端部はボス３７よりもわずかに上方に突出している。また、図６のように、板状部３５における挿通孔３６の後縁部には上方及び前方に開口する嵌込溝部３８が形成され、嵌込溝部３８の底部が第二被固着部３０が固着される固着部となっている。
【００３１】
止水弁ユニット１５を支持体２１に取り付けるには、まず止水弁ユニット１５の筒状部２４を、支持体２１の挿通孔３６及びこれに連通する収納部４３の内側空間に上方から挿通し、この際、リブ４４〜４６を対応する凹所４８、５０、５１に上方から嵌め込む。これにより、止水弁ユニット１５の第一被固着部２９の先端部は、支持体２１の両突片部４０の間に配置され、両突片部４０により左右方向の移動が規制された状態でボス３７に載置される。また、止水弁ユニット１５の第二被固着部３０の先端部は、支持体２１の嵌込溝部３８に上方から嵌め込まれ、これにより左右方向の移動が規制される。
【００３２】
そして、第一被固着部２９のねじ挿通用切欠３１に上方から挿通したねじ３９をボス３７の内側に形成された雌ねじにねじ込み、また、第二被固着部３０のねじ挿通用切欠３１に上方から挿通したねじ３９を嵌込溝部３８の底部に形成されたねじ穴にねじ込む。これにより第一被固着部２９及び第二被固着部３０は支持体２１に固着される。
【００３３】
このようにして支持体２１に取り付けられた止水弁ユニット１５は、筒状部２４の上部が板状部３５よりも上方に突出する。また、筒状部２４の給水口部２５が設けられた下部は、板状部３５、さらには収納部４３よりも下方に突出する。
【００３４】
止水弁ユニット１５の流出口部２６は、図５に示す連結管５４を介してボウル部７に接続される。すなわち、給水路２２は、止水弁ユニット１５と連結管５４で構成される。
【００３５】
図２に示されるように、後パーツ９は、左右両側の側カバー１２と、便器本体３の背面を構成する後カバー１３（図３参照）と、便器本体３の後部において前パーツ８よりも上方に突出した上端部の外面を構成する上カバー１４とで構成されている。
【００３６】
前述の止水弁ユニット１５を含む機能部１６には、上カバー１４が着脱自在に取り付けられ、この上カバー１４によって機能部１６が覆われる。
【００３７】
後カバー１３及び両側の側カバー１２は、補強フレーム２の後部に着脱自在に取り付けられ、これら後カバー１３及び両側の側カバー１２により、補強フレーム２の上カバー１４の下方に位置する部分が覆われる。
【００３８】
後カバー１３の上端部の両側の縁部には前側に向けて突出する突出部１７が夫々形成され、便器本体３の後部側面は、側カバー１２と、これに隣接する突出部１７で構成されている。後カバー１３の一方の突出部１７には切欠１９が形成されている。
【００３９】
止水弁ユニット１５の給水口部２５は切欠１９から露出し、この給水口部２５には、図５に示すように、水道管２３の下流側端部が接続される。これにより、水道管２３から給水路２２に水を供給することが可能になり、供給された水を給水路２２を介してボウル部７に吐出することができる。
【００４０】
なお、後カバー１３及び各側カバー１２は、補強フレーム２の下フレーム４、上フレーム５、又は連結フレーム６のいずれに取り付けてもよい。また、これらフレーム４〜６に加えて、隣接する上カバー１４、後カバー１３、又は側カバー１２に取り付けても構わない。また、図示は省略するが、前パーツ８の上面を構成するリム部１０上には、回動自在の便座及び便蓋を有する便座装置が設置される。
【００４１】
以上説明した本実施形態の便器装置１は、図１に示されるように、止水弁ユニット１５の筒状部２４の外周面に、筒状部２４の軸方向から見て給水口部２５の軸方向と交差する方向に突出するリブ４５、４６が形成されている。また、支持体２１において筒状部２４の外周面に対応する部分（収納部４３）には、リブ４５、４６が嵌合する凹所５０、５１が形成されている。このようなリブ４５、４６とリブ４５、４６が嵌合する凹所５０、５１を形成することにより、止水弁ユニット１５が給水口部２５の軸方向に移動することを規制することができる。このため、止水弁２８の開閉動作により生じる水撃が筒状部２４に作用した場合に、止水弁ユニット１５が支持体２１に対してがたついたり、支持体２１の止水弁ユニット１５が取り付けられた部分が変形等することを抑制できる。
【００４２】
また、本実施形態では、筒状部２４の外周面から突出した被固着部２９、３０のねじ挿通用切欠３１にねじ３９が挿通され、このねじ３９により被固着部２９、３０が支持体２１に固着されている。そして、筒状部２４の外周面における被固着部２９、３０よりも上流側の位置にリブ４５、４６が形成されている。このため、リブ４５、４６を凹所５０、５１に嵌合させることにより、筒状部２４において水撃を受けやすい給水口部２５近傍の部分が給水口部２５の軸方向に移動することを規制することができる。従って、止水弁ユニット１５が支持体２１に対してがたついたり、支持体２１の止水弁ユニット１５が取り付けられた部分が変形等することをより一層抑制できる。
【００４３】
なお、給水口部２５は筒状部２４の軸方向に対して垂直方向に突出するものに限られず、筒状部２４の軸方向に対して垂直方向以外の方向に突出するものであってもよい。すなわち、給水口部２５は筒状部２４の軸方向に対して交差する方向に突出するものであればよい。また、筒状部２４の外周面にリブ４５、４６を設けると共に支持体２１の対応する部分に凹所５０、５１を設けたが、逆に、筒状部２４の外周面に同様の凹所を設けると共に支持体２１の対応する部分に同様のリブを設けてもよい。また、同様のリブと凹所の組は、１組又は３組以上設けてもよい。さらに本実施形態では、止水弁ユニット１５に第一被固着部２９と第二被固着部３０を設けて、止水弁ユニット１５をねじ３９で支持体２１に固着したが、この他の手段で止水弁ユニット１５を支持体２１に固着しても構わない。
【符号の説明】
【００４４】
７  ボウル部
１５  止水弁ユニット
２１  支持体
２２  給水路
２４  筒状部
２５  給水口部
２７  内部流路
２８  止水弁
２９  第一被固着部
３０  第二被固着部
３１  ねじ挿通用切欠
３９  ねじ
４５  リブ
４６  リブ
５０  凹所
５１  凹所
【図１】
0005807204.tif 000002
【図２】
0005807204.tif 000003
【図３】
0005807204.tif 000004
【図４】
0005807204.tif 000005
【図５】
0005807204.tif 000006
【図６】
0005807204.tif 000007
【図７】
0005807204.tif 000008
【図８】
0005807204.tif 000009
【図９】
0005807204.tif 000010
【図１０】
0005807204.tif 000011